【手続補正書】
【提出日】平成18年9月27日(2006.9.27)
【手続補正１】
【補正対象書類名】明細書
【補正対象項目名】特許請求の範囲
【補正方法】変更
【補正の内容】
【特許請求の範囲】
【請求項１】  支持体及び該支持体上に設けられた感光層を有する電子写真感光体において、該電子写真感光体の表面層が下記式（１）で示される構成単位を有するポリカーボネート樹脂を含有することを特徴とする電子写真感光体。
式（１）
【化１】
2000241999.tif 000001
（式（１）中、Ｒ１は水素原子、ハロゲン原子、置換もしくは無置換のアルキル基、置換もしくは無置換のアリール基及び置換もしくは無置換のアルケニル基から選ばれるいずれかを示し、Ｒ２は水酸基を有するアルキル基を示し、Ｒ３〜Ｒ１０は水素原子、ハロゲン原子、置換もしくは無置換のアルキル基、置換もしくは無置換のアリール基、置換もしくは無置換のアルケニル基、置換もしくは無置換のアルコキシ基及び置換もしくは無置換のアラルキル基から選ばれるいずれかを示す。）
【請求項２】  前記式（１）で示される構成単位が２，２−ビス（４−ヒドロキシフェニル）プロパノールから誘導されたものである請求項１に記載の電子写真感光体。
【請求項３】  前記ポリカーボネート樹脂が更に下記式（３）で示される構成単位を有する共重合ポリカーボネート樹脂である請求項１または２に記載の電子写真感光体。
式（３）
【化２】
2000241999.tif 000002
（式（３）中、Ｒ１１〜１８は水素原子、ハロゲン原子、置換もしくは無置換のアルキル基、置換もしくは無置換のアリール基、置換もしくは無置換のアルケニル基、置換もしくは無置換のアルコキシ基及び置換もしくは無置換のアラルキル基から選ばれるいずれかを示す。）
【請求項４】  前記式（３）で示される構成単位が９，９−ビス（４−ヒドロキシ−３−メチルフェニル）フルオレンから誘導されたものである請求項３に記載の電子写真感光体。
【請求項５】  前記表面層が更に下記式（３）で示される構成単位を有するポリカーボネート樹脂を含有する請求項１〜４のいずれかに記載の電子写真感光体。
式（３）
【化３】
2000241999.tif 000003
（式（３）中、Ｒ１１〜１８は水素原子、ハロゲン原子、置換もしくは無置換のアルキル基、置換もしくは無置換のアリール基、置換もしくは無置換のアルケニル基、置換もしくは無置換のアルコキシ基及び置換もしくは無置換のアラルキル基から選ばれるいずれかを示す。）
【請求項６】  前記式（３）で示される構成単位が９，９−ビス（４−ヒドロキシ−３−メチルフェニル）フルオレノンから誘導されたものである請求項５記載の電子写真感光体。
【請求項７】  請求項１〜６のいずれかに記載の電子写真感光体と、帯電手段、現像手段、クリーニング手段からなる群から選ばれる少なくとも一つの手段とを一体に支持し、電子写真装置本体に着脱自在であることを特徴とするプロセスカートリッジ。
【請求項８】  請求項１〜６のいずれかに記載の電子写真感光体、帯電手段、露光手段、現像手段及び転写手段を有することを特徴とする電子写真装置。
【手続補正２】
【補正対象書類名】明細書
【補正対象項目名】００１３
【補正方法】変更
【補正の内容】
【００１３】
【課題を解決するための手段】
本発明は、支持体及び該支持体上に設けられた感光層を有する電子写真感光体において、該電子写真感光体の表面層が下記式（１）で示される構成単位を有するポリカーボネート樹脂を含有することを特徴とする電子写真感光体から構成される。
式（１）
【化４】
2000241999.tif 000004
（式（１）中、Ｒ１は水素原子、ハロゲン原子、置換もしくは無置換のアルキル基、置換もしくは無置換のアリール基及び置換もしくは無置換のアルケニル基から選ばれるいずれかを示し、Ｒ２は水酸基を有するアルキル基を示し、Ｒ３〜Ｒ１０は水素原子、ハロゲン原子、置換もしくは無置換のアルキル基、置換もしくは無置換のアリール基、置換もしくは無置換のアルケニル基、置換もしくは無置換のアルコキシ基及び置換もしくは無置換のアラルキル基から選ばれるいずれかを示す。）
【手続補正３】
【補正対象書類名】明細書
【補正対象項目名】００１４
【補正方法】変更
【補正の内容】
【００１４】
また、本発明は、前記本発明の電子写真感光体と、帯電手段、現像手段、クリーニング手段からなる群から選ばれる少なくとも一つの手段とを一体に支持し、電子写真装置本体に着脱自在であることを特徴とするプロセスカートリッジから構成される。
【手続補正４】
【補正対象書類名】明細書
【補正対象項目名】００１８
【補正方法】変更
【補正の内容】
【００１８】
上記式（１）で示される構成単位を有するポリカーボネート樹脂は、下記式（２）で示されるビスフェノール
式（２）
【化５】
2000241999.tif 000005
（式（２）中、Ｒ１〜Ｒ１０はそれぞれ、前記式（１）におけると同義。）
をホスゲン、炭酸エステルあるいはクロロホーメートと反応して得られる。この際、上記ビスフェノールは単独で用いてもよく、また、他のビスフェノールと混合して用いてもよい。
【手続補正５】
【補正対象書類名】明細書
【補正対象項目名】００２０
【補正方法】変更
【補正の内容】
【００２０】
本発明においては、特に機械的耐久性という観点から、ポリカーボネート樹脂を式（１）で示される構成単位と下記式（３）または／及び下記式（４）で示される構成単位の共重合体、あるいは、式（１）で示される構成単位を有するポリカーボネートと下記式（３）で示される構成単位を有するポリカーボネート樹脂または／及び下記式（４）で示される構成単位を有するポリカーボネート樹脂の混合物とすることが好ましい。これらの中では式（１）及び下記式（３）で示される構成単位を有する共重合体を用いることが、機械的耐久性及び溶解性の点で特に好ましい。
式（３）
【化６】
2000241999.tif 000006
（式（３）中、Ｒ１１〜１８は水素原子、ハロゲン原子、置換もしくは無置換のアルキル基、置換もしくは無置換のアリール基、置換もしくは無置換のアルケニル基、置換もしくは無置換のアルコキシ基及び置換もしくは無置換のアラルキル基から選ばれるいずれかを示す。）
式（４）
【化７】
2000241999.tif 000007
（式（４）中、Ｒ１９〜Ｒ２６は水素原子、ハロゲン原子、置換もしくは無置換のアルキル基、置換もしくは無置換のアリール基、置換もしくは無置換のアルケニル基、置換もしくは無置換のアルコキシ基及び置換もしくは無置換のアラルキル基から選ばれるいずれかを示し、Ｘは
【化２６】
2000241999.tif 000008
であり、Ｒ２７及びＲ２８は、水素原子、ハロゲン原子、置換もしくは無置換のアルキル基、置換もしくは無置換のアリール基、置換もしくは無置換のアルケニル基並びにＲ２７及びＲ２８が結合して炭素環または複素環を形成するのに必要な基から選ばれるいずれかを示し、Ｒ２９〜Ｒ３２は、水素原子、置換もしくは無置換のアルキル基及び置換もしくは無置換のアリ−ル基から選ばれるいずれかを示し、ａ、ｂ及びｄは０〜２０の整数、ｃは１〜５００の整数を示す。）
【手続補正６】
【補正対象書類名】明細書
【補正対象項目名】００２３
【補正方法】変更
【補正の内容】
【００２３】
上記式（３）で示される構成単位を有するポリカーボネート樹脂は、下記式（５）で示されるビスフェノール
式（５）
【化８】
2000241999.tif 000009
（式（５）中、Ｒ１１〜Ｒ１８はそれぞれ、前記式（３）におけると同義。）
をホスゲン、炭酸エステルあるいはクロロホーメートと反応して得られる。この際、上記ビスフェノールは単独で用いてもよく、また、他のビスフェノールと混合して用いてもよい。
【手続補正７】
【補正対象書類名】明細書
【補正対象項目名】００２６
【補正方法】変更
【補正の内容】
【００２６】
上記式（４）で示される構成単位を有するポリカーボネート樹脂は、下記式（６）で示されるビスフェノール
式（６）
【化２３】
2000241999.tif 000010
（式（６）中、Ｒ１９〜Ｒ２６はそれぞれ、前記式（４）におけると同義。）
をホスゲン、炭酸エステルあるいはクロロホーメートと反応して得られる。この際、上記ビスフェノールは単独で用いてもよく、また、他のビスフェノールと混合して用いてもよい。